(57)【要約】【課題】記録対象の記録に用いる記録レートにおいて、どの程度の大きさのタイトルが記録可能となるかを報知する映像記録再生装置を提供する。【解決手段】この発明は、削除対象となりうる番組のリストまたはグループを表示し、表示されたリスト中の任意の番組またはグループが含む個別の番組に、削除候補であることが指示された場合、その指定された番組を削除した場合に、記録媒体に確保される記録可能時間、記録媒体に確保される記録可能容量、および算出された記録可能容量が増加する程度を模式的に表示可能に出力することを特徴とする。【選択図】図１
2010212995.tif 000002
【特許請求の範囲】
【請求項１】
番組の削除に用いる削除モードの起動を受け付ける受付モジュールと、
前記受付モジュールにより削除モードの起動を受け付けた時点で、記録されている番組のリストまたはグループを表示する表示モジュールと、
前記表示モジュールが表示したリスト中の任意の番組またはグループが含む個別の番組に、削除候補であることが指示された場合、その指定された番組を削除した場合に、記録媒体に確保される記録可能時間を算出する時間算出モジュールと、
前記表示モジュールが表示したリスト中の任意の番組またはグループが含む個別の番組に、削除候補であることが指示された場合、その指定された番組を削除した場合に、記録媒体に確保される記録可能容量を算出する容量算出モジュールと、
前記表示モジュールが表示したリスト中の任意の番組またはグループが含む個別の番組に、削除候補であることが指示された場合、その指定された番組を削除した場合に、前記容量算出モジュールが算出した記録可能容量が増加する程度を、模式的に表示可能に出力する容量表示モジュールと、
を有することを特徴とする映像記録再生装置。
【請求項２】
前記時間算出モジュールは、削除候補の番組に適用されている記録レートと特定の圧縮が適用された記録レートのそれぞれを用いる場合の記録可能時間を算出することを特徴とする請求項１記載の映像記録再生装置。
【請求項３】
前記時間算出モジュールは、削除した結果、記録可能時間が増大しない番組が削除候補として指示された場合は、記録可能時間の算出を中止することを特徴とする請求項１記載の映像記録再生装置。
【請求項４】
前記時間算出モジュールは、削除した結果、記録可能時間が増大しない番組を含んで、削除候補タイトルが指示された場合は、記録可能時間の算出を中止することを特徴とする請求項１記載の映像記録再生装置。
【請求項５】
前記容量表示モジュールは、削除候補の番組を削除した場合に、記録媒体内で増加する空き容量を表示することを特徴とする請求項１記載の映像記録再生装置。
【請求項６】
前記容量算出モジュールは、削除した結果、記録可能時間が増大しない番組が削除候補として指示された場合は、空き容量の算出を中止することを特徴とする請求項５記載の映像記録再生装置。
【請求項７】
前記容量算出モジュールは、削除した結果、記録可能時間が増大しない番組を含んで、削除候補タイトルが指示された場合は、空き容量の算出を中止することを特徴とする請求項５記載の映像記録再生装置。
【請求項８】
削除モードの起動を受け付け、
記録媒体または予め仕分けされた特定のグループの全ての番組を一覧表示し、
一覧表示中の番組のうち、削除候補（削除対象）として指示（入力）された番組について、削除した場合に発生する記録可能時間Ｘを『Ｘ＝（ｉ＋１）』により算出し、
削除後の記録可能予定時間（空き容量（使用量））Ｙｂを、記録媒体の残り記録時間（記録済み容量（占有率））Ｙａと発生する記録可能時間Ｘから『Ｙｂ＝Ｙａ＋Ｘ』により算出する
ことを特徴とする映像記録再生装置の制御方法。
【請求項９】
削除対象となりうる番組のリストまたはグループを表示し、
表示されたリスト中の任意の番組またはグループが含む個別の番組に、削除候補であることが指示された場合、その指定された番組を削除した場合に、記録媒体に確保される記録可能時間を算出し、
表示されたリスト中の任意の番組またはグループが含む個別の番組に、削除候補であることが指示された場合、その指定された番組を削除した場合に、記録媒体に確保される記録可能容量を算出し、
表示されたリスト中の任意の番組またはグループが含む個別の番組に、削除候補であることが指示された場合、その指定された番組を削除した場合に、前記容量算出モジュールが算出した記録可能容量が増加する程度を、模式的に表示可能に出力する
ことを特徴とする映像記録再生装置の制御方法。
【発明の詳細な説明】
【技術分野】
【０００１】
この発明は、空間波や通信回線を用いて放送事業者や配信事業者により提供される番組（タイトル）または映像コンテンツを、私的な利用のために記録（録画）可能な映像記録再生装置に関する。
【背景技術】
【０００２】
近年、ＤＶＤ（Digital Versatile Disk）規格の光ディスクやハードディスクドライブ（Hard Disk Drive，以下ＨＤＤと略称する）を記録媒体として用いるデジタル方式の映像記録再生装置が広く普及している。なお、光ディスクやＨＤＤに情報を記録する場合、未記録領域についてはそのまま情報を記録することできるが、情報が記録されている領域については、一旦、記録済みの情報を削除することが必要である。
【０００３】
また、デジタル方式の情報の記録に特有の機能として、フォルダという仮想の入れ物を一以上用意することで、記録済みの情報をグループ化して管理することができる。なお、フォルダの一つに削除する予定の番組を入れる専用のフォルダ（以下、ごみ箱フォルダ）を用意し、まとめて削除する方法も実用化されている。
【０００４】
特許文献１（先行技術文献）には、消去（削除）対象のタイトルを選択し、消去を実行した際に、残りの記録可能時間を表示するデジタル記録再生装置が示されている。また、同装置では、予約録画を登録しようとした際に、記録媒体の記録可能時間が不足している場合、予約録画の登録を受け付けず、予約対象のタイトルを録画する際の記録レートの変更や、いくつかのタイトルを削除することを促す表示を表示することが可能であることが示されている。
【先行技術文献】
【特許文献】
【０００５】
【特許文献１】特開２００１−１６０２８１
【発明の概要】
【発明が解決しようとする課題】
【０００６】
特許文献１は、予約録画を登録しようとした際に、記録媒体の記録可能時間が不足している場合、予約録画の登録を受け付けず、予約対象のタイトルを録画する際の記録レートの変更や、いくつかのタイトルを消去することを促す表示を表示するが、予約録画を実現（登録）するために消去すべきタイトルが何個であるか、あるいは予約対象のタイトルの録画に適用する記録レートに関して、どの程度、記録媒体に記録可能領域（空き領域）を確保する必要があるか、については、記載が見当たらない。
【０００７】
この発明の目的は、記録媒体に記録されているタイトルを削除すること、あるいは予め削除してよいことが示唆されている任意数のタイトルを削除することにより、記録対象の記録に用いる記録レートにおいて、どの程度の大きさのタイトルが記録可能となるかを報知する映像記録再生装置を提供することである。
【課題を解決するための手段】
【０００８】
この発明は、上記問題点に基づきなされたもので、番組の削除に用いる削除モードの起動を受け付ける受付モジュールと、前記受付モジュールにより削除モードの起動を受け付けた時点で、記録されている番組のリストまたはグループを表示する表示モジュールと、前記表示モジュールが表示したリスト中の任意の番組またはグループが含む個別の番組に、削除候補であることが指示された場合、その指定された番組を削除した場合に、記録媒体に確保される記録可能時間を算出する時間算出モジュールと、前記表示モジュールが表示したリスト中の任意の番組またはグループが含む個別の番組に、削除候補であることが指示された場合、その指定された番組を削除した場合に、記録媒体に確保される記録可能容量を算出する容量算出モジュールと、前記表示モジュールが表示したリスト中の任意の番組またはグループが含む個別の番組に、削除候補であることが指示された場合、その指定された番組を削除した場合に、前記容量算出モジュールが算出した記録可能容量が増加する程度を、模式的に表示可能に出力する容量表示モジュールと、を有することを特徴とする映像記録再生装置を提供するものである。
【発明の効果】
【０００９】
この発明の一つの実施の形態によれば、記録媒体に記録されているタイトルを削除すること、あるいは予め削除してよいことが示唆されている任意数のタイトルを削除することにより、記録対象の記録に用いる記録レートにおいて、どの程度の大きさ（時間）のタイトルが記録可能となるかを、ユーザが容易に把握できる。
【００１０】
特に、残り記録容量を記録装置の使用量（空き容量）として視覚的に確認できるため、ユーザの操作性が向上する。
【００１１】
また、削除候補のタイトル（コンテンツ）と同じ記録レートでの残り記録容量を把握でき、ユーザの利便性が向上する。
【図面の簡単な説明】
【００１２】
【図１】この発明の実施の形態が適用可能な映像記録再生装置の構成の一例を示す概略図。
【図２】図１に示した映像記録再生装置において、削除モードの起動が要求された際に、表示出力として表示される画面表示（出力信号）の一例を示す概略図。
【図３】図１に示した映像記録再生装置において、任意のタイトル（コンテンツ）の削除が指示された際に、残り記録可能時間（空き容量／占有率）を求めて表示する表示出力の画面表示（出力信号）の一例を示す概略図。
【図４】図１に示した映像記録再生装置において、任意のタイトル（コンテンツ）の削除が指示された際に、残り記録可能時間（空き容量／占有率）を求める手続きの一例を示す概略図。
【図５】図１に示した映像記録再生装置において任意のタイトル（コンテンツ）の削除が指示された際に、残り記録可能時間（空き容量／占有率）を求めて表示する表示出力の画面表示（出力信号）の一例を示す概略図。
【図６】図１に示した映像記録再生装置において任意のタイトル（コンテンツ）の削除が指示された際に、残り記録可能時間（空き容量／占有率）を求めて表示する表示出力の画面表示（出力信号）の一例を示す概略図。
【図７】図１に示した映像記録再生装置において任意のタイトル（コンテンツ）の削除が指示された際に、残り記録可能時間（空き容量／占有率）を求めて表示する表示出力の画面表示（出力信号）の一例を示す概略図。
【発明を実施するための最良の形態】
【００１３】
以下、図面を参照して、本発明の実施の一形態について説明する。
【００１４】
図１は、本発明の実施の形態が適用可能な映像記録再生装置（レコーダ装置）の一例を示す。なお、以下に説明する各要素において、「モジュール」と呼称する要素は、ハードウエアで実現するものであってもよいし、ＣＰＵ（マイクロコンピュータ）等を用いて、ソフトウエアで実現するものであってもよい。
【００１５】
映像記録再生装置１は、アンテナを介して取得可能な番組を選局して受信するチューナ３、チューナ３により受信した番組から番組情報を取得し、ユーザが要求する情報を表示するための制御を実行する主制御モジュール（主制御ブロック）５、チューナ３により受信した番組を外部装置として接続される映像表示装置（モニタ装置）１０１が表示可能に処理するとともに、ユーザからの要求がある場合に、後段に説明する記録ユニットに記録（録画）させる録画再生信号処理モジュール７を含む。なお、モニタ装置１０１は、例えばアスペクト（横方向画面長対縦方向画面長）比が、１６：９のフルハイビジョン（フルＨＤ）と呼称される、水平方向に１９２０画素で垂直方向に１０８０画素のデジタル放送を表示可能である。また、主制御モジュール５には、後段に説明するが、さまざまな情報を記憶するメモリモジュール９も接続される。
【００１６】
チューナ３は、図示しない衛星用アンテナにより受信した衛星放送の任意のチャンネルを選局する。同様に、図示しない地上波アンテナにより受信した地上デジタル放送あるいは地上アナログ放送の任意のチャンネルを選局する。なお、今日、衛星放送向け、地上波向けに、それぞれ、２以上のチューナが用意される場合もあり、複数チャンネルの番組が選局できる場合もある。また、複数のチューナモジュールが一体化されたマルチチューナが搭載されている場合も、同様に複数チャンネルの番組を選択可能である。
【００１７】
すなわち、チューナ３は、地上アナログ／地上デジタル等に代表される公衆向け放送や放送衛星を介して供給される公衆向け衛星放送波の任意のチャンネルの番組（タイトル）を受信可能で、例えばＴＳ（Transport stream，以降“ＴＳ”と呼称する）形式であるデジタル放送を受信できる。なお、チューナ３は、詳述しないが、例えば光ケーブル等を介して、プロバイダあるいは配信局（地域ネットワーク基地局）等から供給される限定的なコンテンツも受信可能である。
【００１８】
主制御モジュール５は、詳述しないが、ＣＰＵ（Central processing unit）またはＭＰＵ（Main processing unit）を含み、ユーザの直接操作を受けつけるユーザ操作入力部１１およびリモート端末（リモコン）１３によるユーザ操作を受けつけるリモコン受信部１５と接続され、以下に説明するさまざまなユーザ操作（制御入力）を受け付け、対応するコマンドを出力し、映像記録再生装置１の各部の動作を制御する。なお、ユーザ操作入力部１１は、図示しないが、映像記録再生装置１本体に設けられている操作ボタン群により直接指示される（ユーザからの）操作入力を受け付ける。例えば、映像記録再生装置１本体に通常設けられている再生（ＰＬＡＹ）ボタンによる再生指示や録画（ＲＥＣ）ボタンによる録画指示が、ユーザ操作入力部１１により入力可能である。また、リモコン受信部１５は、リモコン端末１３を介してユーザから指示される制御情報、例えばチューナ３を経由して受信（取得）すべき放送波／入力の選択や、録画再生信号処理モジュール７による録画処理、ならびに記録媒体すなわち以下に説明するＨＤＤ（Hard Disk Drive，大容量記録装置１７、もしくはディスクドライブ装置１９にセットされた光ディスクＤから削除またはダビング（あるいはムーブ）すべきタイトル（コンテンツ）を決定する、等のユーザ操作を受け付け、ＣＰＵまたはＭＰＵすなわち主制御ブロック５に、対応するコマンドを入力する。
【００１９】
録画再生信号処理モジュール７は、詳述しないが、ビデオエンコーダモジュール、ビデオデコーダモジュール、オーディオエンコーダモジュール、及びオーディオデコーダモジュール等、を少なくとも含む。なお、詳述しないが、エンコーダモジュールは、入力されたアナログ信号（ビデオ（映像）／オーディオ（音声））を、デジタル信号に変換（エンコード）するもので、例えばＭＰＥＧ（Moving Picture Experts Group）−２あるいはＭＰＥＧ−４（Ｈ．２６４−ＡＶＣ）等に準拠した信号圧縮が広く用いられている。また、詳述しないが、デコーダモジュールは、ＭＰＥＧ−２あるいはＭＰＥＧ−４（Ｈ．２６４−ＡＶＣ）等に圧縮されたデジタル信号を、デコードすることはいうまでもない。
【００２０】
録画再生信号処理モジュール７にはまた、例えばＤＶＤ規格や、ＤＶＤ規格に比較してより記録密度が高められた光ディスク（着脱可能な情報記録媒体）Ｄがセットされることにより、光ディスクＤに収容されている情報を再生し、あるいはＨＤＤ１７やチューナ３から供給される番組（タイトルまたはコンテンツ）すなわち映像データおよびオーディオデータが記録可能なディスクドライブ装置１９が接続されている。なお、光ディスクＤがＤＶＤ規格である場合、記録容量は、４．７Ｇバイト（標準的な画質で約２時間、“ＴＳ”は約４０分の記録が可能）である。また、ＨＤＤ１７の記録容量は、例えば２５０〜１０００Ｇバイトであり、記録レートを変えることにより、最大で１０００時間程度の映像データおよびオーディオデータが記録可能である。なお、ＨＤＤ１７に保持されているタイトル（コンテンツ）は、詳述しないが、家庭内ネットワークやサーバに接続されている他の映像記録再生装置のハードディスク装置（ＨＤＤ−ｘ）や、映像記録再生装置１に増設されたハードディスク装置（増設ＨＤＤ）であってもよいことはいうまでもない。
【００２１】
メモリモジュール９は、詳述しないが、ワークメモリとして機能するメインメモリ（ＳＤＲＡＭ）、主制御モジュール５や映像記録再生装置１の任意の要素を動作させるためのプログラムを保持したＲＯＭ、および詳述しないダビング予約制御部において予約された予約日時、録画／ダビング種別、長さ（開始時間／終了時間）、チャンネル（ｃｈ）、レート等の情報を保持する不揮発性メモリ（ＮＶＭ）等を含む。
【００２２】
主制御モジュール５はまた、ＯＳＤ（On Screen Display）表示出力モジュール２１に対し、外部に接続されるモニタ装置１０１あるいは詳述しない外部映像出力端子に、映像出力すなわち、ユーザ操作入力部１１またはリモートコントロール受信部１５を経由して入力される、例えば操作入力（制御信号）や、チャンネル（チューナ）を選択または切り換えるためのコマンド、もしくは以下に説明する一括削除指示等に対応する選択画面や操作画面等を、現在表示出力が出力されているタイトル（コンテンツ）の再生映像に、所定の透過率で重ねて表示するＯＳＤ表示出力、を出力させる。なお、ＯＳＤ表示出力モジュール２１の表示出力は、透過率パラメータ（αブレンディング）に従い、通常の映像表示上に、薄い「半透明」状態〜濃い「半透明」状態で、通常の映像信号（再生中のタイトルまたはコンテンツの本来の濃度の映像信号）に重ね合わせられる。
【００２３】
すなわち、ＯＳＤ表示出力モジュール２１から出力されるＯＳＤ表示出力は、再生映像があたかも背景画像となるよう、再生映像の一部を透過する状態で、合成モジュール２３により、タイトル（コンテンツ）の再生映像信号に重ねて出力される。なお、ＯＳＤ表示出力モジュール２１からの出力が重ね合わせられるタイトル（コンテンツ）は、チューナ３により選局された任意の「ｃｈ」の番組に加え、ディスクドライブ装置１９により再生されている光ディスクＤからの再生映像、あるいはＨＤＤ１７が保持するタイトル（コンテンツ）であってもよいことはいうまでもない。
【００２４】
以下、本発明の実施形態を実現する方法についてさらに詳細に説明する。
【００２５】
主制御モジュール５は、上述したＣＰＵまたはＭＰＵに加え、ユーザ操作に基づいて、録画番組の削除に用いる削除モードの設定（起動）を受け付ける録画番組削除モード受付モジュール５ａ、録画番組削除モード受付モジュール５ａが削除モードの設定（起動）を受け付けた時点で、現在記録されている番組のリスト（一覧）または「編集ナビ」画面を表示する編集対象番組一覧表示モジュール５ｂ、編集対象番組一覧表示モジュール５ｂが表示した番組一覧から任意数のタイトル（コンテンツ）に対する削除が指示された場合に記録媒体の（残り）記録可能時間を算出する記録媒体記録可能時間算出モジュール５ｃ、同じく編集対象番組一覧表示モジュール５ｂが表示した番組一覧または「編集ナビ」画面内に表示されるサムネイル画像から任意数のタイトル（コンテンツ）に対する削除が指示（選択）された場合に削除対象として指示（選択）された番組の記録時間の合計すなわち記録媒体の記録容量に対する削除対象の記録情報の占有割合を算出する削除選択番組記録時間算出モジュール５ｄ、および削除前と削除後の記録媒体の占有割合の変化である残り空き容量（記録可能時間）を表示する削除前後の記録可能時間表示モジュール５ｅを含む。
【００２６】
なお、ＨＤＤ１７は、記録容量と記録済みタイトル（コンテンツ）のレートに依存するが、通常は、数百のタイトル（コンテンツ）を記録可能であり、記録されている番組を単純に一覧表示した場合、対象とするタイトル（コンテンツ）探すために多くの時間が必要となる。このため、記録した番組、あるいはこれから記録する番組を、番組の属性あるいはユーザの設定する区分に従ってグループ化し、「フォルダ」という仮想の入れ物を用意して仕分けすることが好ましい。また、「ごみ箱」という概念に基づき、ユーザから削除が指示された削除対象のタイトル（コンテンツ）を一時的に保存するとともに、全件削除（一括削除）を可能とする「ごみ箱（フォルダ）」を用意することで、急に長時間の録画もしくは高品位の録画のために、ある程度の記録容量が必要となった場合、等において、残り記録容量を確保することが容易となる。
【００２７】
リモコン端末１３の図示しない「削除キー」がオンされると、録画番組削除モード受付モジュール５ａが、任意数のタイトル（コンテンツ）を削除する要求のあったことを検知し、削除モードの起動要求を受け付け、編集対象番組一覧表示モジュール５ｂに対して、図２（ａ）に示すような「編集ナビ」（一括削除）画面の表示を要求する。なお、リモコン端末１３の「削除キー」がオンされない場合においても、例えばモニタ装置１０１に現在再生されているタイトル（コンテンツ）の映像の下部に表示されているボタン表示のうちの、例えば「メニュー」表示がリモコン端末１３のカーソルキー（「上」・「下」・「左」・「右」の４方向へのカーソル（フォーカス）の移動を指示可能なコマンドを入力する矢印キー）の操作により選択され、決定キーがオンされることによっても、録画番組削除モード受付モジュール５ａが、削除モードの起動要求を受け付ける。
【００２８】
編集対象番組一覧表示モジュール５ｂは、録画番組削除モード受付モジュール５ａにより削除モードの起動が要求された場合に、図２（ａ）に一例を示すような「編集ナビ」（一括削除）画面に対応する画像を出力可能な表示信号を生成する。なお、図２（ａ）に示す表示例は、合成モジュール２３の出力端においては当然表示信号であり、モニタ装置１０１に表示した例であることはいうまでもない。
【００２９】
図２（ａ）に一例を示した「編集ナビ」（一括削除）画面において、リモコン端末１３のカーソルキーの操作により、任意のタイトル（コンテンツ）が削除対象として特定されると、記録媒体記録可能時間算出モジュール５ｃにより、現在の記録媒体の（残り）記録可能時間が求められ、モニタ装置１０１に表示される画面の概ね中央下部に、文字列の形態で、表示される。また、削除選択番組記録時間算出モジュール５ｄにより、記録媒体の記録容量に対する削除対象の記録情報の占有割合が求められ、モニタ装置１０１に表示される画面の概ね中央下部に、グラフィカルに、表示される。なお、図２（ａ）は、上述した「フォルダ」と、「ゴミ箱（フォルダ）」と、まだフォルダに仕分けされていない５つのタイトル（パーツ）とが表示された例であり、上段の「編集ナビ」（一括削除）の表題欄と下段の「削除対象」欄との間に表示される任意のパーツ（図の例では、［００５］）に対して削除を指示した状態であり、下段の「削除対象」欄に、パーツ［００５］に対応するタイトル［０００１］が表示されている。
【００３０】
より詳細には、記録媒体記録可能時間算出モジュール５ｃにより求められる現在の記録媒体の残り記録可能時間は、図２（ｂ）に示すように、『時間表示』として、例えば    
＜＜削除対象：あり＞＞の場合には、    
オリジナルタイトルのみ、またはオリジナルタイトルとプレイリストとを混在して選択している時においては、    
［ＴＳ１／ＴＳ２      （約  ４時間５４分  →  約  ５時間１０分）］    
［ＲＥ［設定３］      （約２４時間１６分  →  約２５時間３７分）］    
のように、削除候補として選択された削除対象を削除した場合に増える記録可能時間が表示される。なお、この場合、記録モードを考慮して、例えば“ＴＳ１”／“ＴＳ２”と、例えば現在選択されているタイトル（コンテンツ）と同じ記録レートを用いる場合、例えば“ＶＲ”，“ＳＰ”，“４．６”等の条件（記録レート）に従い、記録可能時間が算出され、表示される。また、図示しないが、予約録画を登録するための予約（登録）画面、あるいは録画設定画面等において、（録画に用いる）記録レートを変更することで、変更された記録レートにおける記録可能時間が表可能である。さらに、削除候補を変えることで、削除候補の記録（録画）に用いられた記録レートで残り記録可能時間が表示される。
【００３１】
ただし、プレイリストのみが削除される場合には、記録可能残り時間は、実質的に削除前と変わらないため、プレイリストのみを選択している時においては、上述した表示は、    
［ＴＳ１／ＴＳ２      （約  ４時間５４分  →  約−−時間−−分）］    
［ＲＥ［設定３］      （約２４時間１６分  →  約−−時間−−分）］    
のように、削除候補として選択された削除対象を削除した場合に増えると予測される時間を表示しない（例えば、“−−”表示が表示される）。なお、記録可能残り時間が増えないことを明示するため、→の右側においても、→の左側と同じ数字（時間）が表示されてもよい。
【００３２】
また、『＜＜削除対象：なし＞＞』すなわち、削除候補が指示されるまでの間は、上述したプレイリストのみが削除される場合と同様、    
［ＴＳ１／ＴＳ２      （約  ４時間５４分  →  約−−時間−−分）］    
［ＲＥ［設定３］      （約２４時間１６分  →  約−−時間−−分）］    
のように、削除候補として選択された削除対象を削除した場合に増えると思われる時間については、表示しない（例えば、“−−”表示が表示される）。
【００３３】
一方、削除選択番組記録時間算出モジュール５ｄにより求められる記録媒体の残り記録可能容量については、表示画面の概ね中央の下部に、『ディスク容量表示』ＧＵＩ（Graphical User Interface）が表示される。
【００３４】
すなわち、図２（ｂ）において、上述した『時間表示』と同じ時間について、例えば    
＜＜削除対象：あり＞＞の場合において、    
オリジナルタイトルのみ、またはオリジナルタイトルとプレイリストとを混在して選択している時は、削除後の記録可能時間を、ディスク容量（使用率または占有率）として模式的に示す、絵文字風の残り容量インジケータ（ＧＵＩ）が示される。
【００３５】
詳細には、記録媒体記録可能時間算出モジュール５ｃにより求められる現在の記録媒体の残り記録可能時間を認識可能に、図２（ｂ）の残り容量インジケータにおいて“Ａ”部を増加する表示が、表示される。なお、“Ａ”部を増加する表示すなわち増加部分Ａは、削除前後の記録可能時間表示部５ｅにより演算される。
【００３６】
ただし、プレイリストのみが削除される場合には、記録可能残り時間は、実質的に削除前と変わらないため、プレイリストのみを選択している時においては、上述した残り容量インジケータ表示は、実質的に変化しない。
【００３７】
なお、『＜＜削除対象：なし＞＞』すなわち、削除候補が指示されるまでの間は、上述したプレイリストのみが削除される場合と同様、上述した残り容量インジケータ表示は、実質的に変化しないことはいうまでもない。
【００３８】
図３（ａ）および図３（ｂ）は、図２（ａ）および図２（ｂ）に一例を示した「編集ナビ」（一括削除）画面とは異なる画面表示の一例を示す。なお、図２（ａ）および図２（ｂ）に一例を示した「編集ナビ」（一括削除）画面における動作と実質的に等しい動作については、その一部の説明を省略する。
【００３９】
既に記録されているタイトル（コンテンツ）、例えば図３（ａ）に示すように、任意のフォルダ内のタイトル（コンテンツ）を再生している任意のタイミングで、例えばモニタ装置１０１に現在再生されているタイトル（コンテンツ）の映像の下部に表示されているボタン表示のうちの、例えば「メニュー」表示がリモコン端末１３のカーソルキー（「上」・「下」・「左」・「右」の４方向へのカーソル（フォーカス）の移動を指示可能なコマンドを入力する矢印キー）の操作により選択され、決定キーがオンされることにより、録画番組削除モード受付モジュール５ａが削除モードの起動要求を受け付け、編集対象番組一覧表示モジュール５ｂにより、「見るナビ」（タイトルサムネイル一覧）画面表示がモニタ装置１０１の詳述しない表示部に、表示される（合成モジュール２３に表示出力が出力される）。
【００４０】
以下、リモコン１３を介して選択候補（選択対象）として任意のタイトル（コンテンツ）が選択されると、選択されたタイトル（コンテンツ）が、『オリジナルタイトルのみ、またはオリジナルタイトルとプレイリストとが混在して選択された場合』には、例えば画面（表示）の概ね中央に、『「削除」が実行された場合、そのタイトルを復元することができない』ことを報知するワーニング画面がポップアップ表示される。
【００４１】
ワーニング画面には、記録媒体記録可能時間算出モジュール５ｃにより求められる消去後の「記録媒体の残り記録可能時間」と現在の「記録媒体の残り記録可能時間」、ならびに削除選択番組記録時間算出モジュール５ｄにより求められる記録媒体の残り記録可能容量について、現在の「記録媒体の残り記録容量」が消去後に増えることを示す絵文字風の残り容量インジケータが同時に表示される。
【００４２】
なお、記録媒体の残り記録可能時間については、図２（ａ）を用いて説明したと同様、    
［ＴＳ１／ＴＳ２      （約  ４時間５４分  →  約  ５時間１０分）］    
［ＲＥ［設定３］      （約２４時間１６分  →  約２５時間３７分）］    
のように、削除候補として選択された削除対象を削除した場合に増える記録可能時間が表示される。なお、この場合、記録モードを考慮して、例えば“ＴＳ１”／“ＴＳ２”と、例えば現在選択されているタイトル（コンテンツ）と同じ記録レートを用いる場合の時間が算出され、表示される。
【００４３】
また、削除選択番組記録時間算出モジュール５ｄにより求められる記録媒体の残り記録可能容量については、ワーニング画面表示の概ね中央に、『ディスク容量表示』ＧＵＩ（Graphical User Interface）により、表示される。
【００４４】
すなわち、図２（ｂ）により一例を示したが、削除選択番組記録時間算出モジュール５ｄにより求められる「記録容量」すなわち、記録媒体記録可能時間算出モジュール５ｃにより求められる現在の記録媒体の残り記録可能時間を「記録容量」の増加として認識可能に、図２（ｂ）の残り容量インジケータ（ＧＵＩ）において、“Ａ”部を増加する表示、すなわち増加部分Ａが表示される。なお、増加部分Ａは、削除前後の記録可能時間表示部５ｅにより演算されることは既に説明した通りである。
【００４５】
ただし、プレイリストのみが削除される場合には、記録可能残り時間は、実質的に削除前と変わらないため、プレイリストのみを選択している時においては、図３（ｂ）に示すように、『「削除」が実行された場合、そのタイトルを復元することができない』ことを報知するワーニング画面のポップアップ表示のみとなる。
【００４６】
図５ないし図７は、図３（ａ）および図３（ｂ）により説明したフォルダ内のタイトル（コンテンツ）の削除を、特定のフォルダ、例えば「ゴミ箱（フォルダ）」に適用する例を示す。なお、図２（ａ）および図２（ｂ）に一例を示した「編集ナビ」（一括削除）画面における動作と実質的に等しい動作については、その一部の説明を省略する。
【００４７】
例えば、「ゴミ箱」フォルダ内に移動されているタイトル（コンテンツ）が図５（ａ）に示す通り、オリジナルタイトルのみである（プレイリストを含まない）場合、リモコン１３による削除モードの起動要求（削除開始指示）を録画番組削除モード受付モジュール５ａにより受け付けると、編集対象番組一覧表示モジュール５ｂから「編集ナビ」（ゴミ箱一覧）画面表示のための表示出力が合成モジュール２３に出力され、モニタ装置１０１の表示部に、図３（ａ）により説明したと同様、『「削除」が実行された場合、そのタイトルを復元することができない』ことを報知するワーニング画面と『ディスク容量表示』が表示される（図５（ｂ）参照）。
【００４８】
また、「ゴミ箱」フォルダ内に移動されているタイトル（コンテンツ）が図６（ａ）に示す通り、オリジナルタイトルとプレイリストを含む（プレイリストが混在している）場合、リモコン１３による削除モードの起動要求（削除開始指示）を録画番組削除モード受付モジュール５ａにより受け付けると、編集対象番組一覧表示モジュール５ｂから「編集ナビ」（ゴミ箱一覧）画面表示のための表示出力が合成モジュール２３に出力され、モニタ装置１０１の表示部に、上述したと同様に、『「削除」が実行された場合、そのタイトルを復元することができない』ことを報知するワーニング画面と『ディスク容量表示』が表示される（図６（ｂ）参照）。
【００４９】
これに対して、「ゴミ箱」フォルダ内に移動されているタイトル（コンテンツ）が図７（ａ）に示す通り、プレイリストのみを含む（オリジナルタイトルを含まない）場合、リモコン１３による削除モードの起動要求（削除開始指示）を録画番組削除モード受付モジュール５ａにより受け付けると、編集対象番組一覧表示モジュール５ｂからモニタ装置１０１の表示部には、『「削除」が実行された場合、そのタイトルを復元することができない』ことを報知するワーニング画面のみが表示される（図７（ｂ）参照）。
【００５０】
これにより、できる。記録媒体に記録されているタイトルを削除すること、あるいは予め削除してよいことが示唆されている任意数のタイトルを削除することにより、記録対象の記録に用いる記録レートにおいて、どの程度の大きさ（時間）のタイトルが記録可能となるかを、ユーザが容易に把握できる。
【００５１】
図４は、図３（ａ）および図３（ｂ）ならびに図５ないし図７に示した実施の形態の一例を、ソフトウエア的に示す。
【００５２】
図４において、録画番組削除モード受付モジュール５ａが、削除モードの起動要求を受け付けると（ブロック［０１−ＹＥＳ］）、編集対象番組一覧表示モジュール５ｂは、削除モードの起動要求を受け付けたフォルダ内または記録装置（ＨＤＤ１７またはディスクドライブユニット１７内の光ディスクＤ）が保持する全てのタイトル（コンテンツ）について、サムネイルまたはサムネイルとタイトル（番組）名の一覧表示を生成する（ブロック［０２］）。
【００５３】
以下、カウンタ［ｉ］をクリア（カウンタに［ｉ＝ｉ←０］をセット）し（ブロック［］）、１つめの削除候補（削除対象）タイトルが指示（入力）された時点（ブロック［０４−ＹＥＳ］）で、削減予定時間Ｘを『Ｘ＝（ｉ＋１）』により算出する（ブロック［０５］）。
【００５４】
続いて、削除後の記録可能予定時間（空き容量（使用量））Ｙｂを、記録媒体の残り記録時間（記録済み容量（占有率））Ｙａと削除予定時間Ｘから『Ｙｂ＝Ｙａ＋Ｘ』により算出する（ブロック［０６］）。
【００５５】
以下、カウンタ［ｉ］に１を加算（［ｉ＝ｉ＋１］をセット）し、削除候補の入力が終了するまで、削除後の記録可能予定時間（空き容量（使用量））Ｙｂを求める（ブロック［０４］〜［０７］）。なお、求めた空き容量は、指定された、あるいは削除候補のタイトル（コンテンツ）に適用されている記録レートを用いた場合の記録可能時間に変換した出力と特定の圧縮条件（“ＴＳ”等）を適用した場合について、（２以上）出力される。
【００５６】
このようにして、記録媒体に記録されている削除候補タイトルを削除すること、あるいは予め削除してよいことが示唆されている任意数の削除候補タイトル（群）を削除することにより、記録対象の記録に用いる記録レートにおいて、どの程度の時間（記録サイズ）のタイトルが記録可能となるかを、ユーザが容易に把握できる。
【００５７】
なお、図４に示した実施の形態においては、プレイリストについては除外することは、言うまでもない。
【００５８】
以上説明したように、この発明の一つの実施の形態によれば、記録媒体に記録されているタイトルを削除すること、あるいは予め削除してよいことが示唆されている任意数のタイトルを削除することにより、記録対象の記録に用いる記録レートにおいて、どの程度の大きさ（時間）のタイトルが記録可能となるかを、ユーザが容易に把握できる。
【００５９】
特に、残り記録容量を記録装置の使用量（占有率または空き容量）として視覚的に確認できるため、ユーザの操作性が向上する。
【００６０】
また、削除候補のタイトル（コンテンツ）と同じ記録レートでの残り記録容量を把握でき、ユーザの利便性が向上する。
【００６１】
なお、この発明は、上述した各実施の形態に限定されるものではなく、その実施の段階ではその要旨を逸脱しない範囲で種々な変形もしくは変更が可能である。また、各実施の形態は、可能な限り適宜組み合わせて、もしくは一部を削除して実施されてもよく、その場合は、組み合わせもしくは削除に起因したさまざまな効果が得られる。
【符号の説明】
【００６２】
１…映像記録再生装置、３…チューナ、５…主制御ブロック（主制御モジュール）、５ａ…録画番組削除モード受付モジュール、５ｂ…編集対象番組一覧表示モジュール、５ｃ…記録媒体の残り記録可能時間算出モジュール、５ｄ…削除選択（削除候補）番組の記録時間（ＨＤＤ占有割合）算出モジュール、５ｅ…削除前および削除後の記録可能時間表示モジュール、７…録画再生信号処理モジュール、９…メモリモジュール、１１…ユーザ操作入力部、１３…リモート端末（リモコン）、１５…リモコン受信部、１７…ＨＤＤ（ハードディスクドライブ装置）、１９…光ディスクドライブ装置、２１…ＯＳＤ表示出力モジュール、２３…合成モジュール、１０１…モニタ装置。
【図１】
2010212995.tif 000003
【図２】
2010212995.tif 000004
【図３】
2010212995.tif 000005
【図４】
2010212995.tif 000006
【図５】
2010212995.tif 000007
【図６】
2010212995.tif 000008
【図７】
2010212995.tif 000009